(57)【要約】      （修正有）【課題】レンズフレームの折り畳み可能なメガネ装置を提供する。【解決手段】メガネ装置は、レンズが取り付けられるフレーム１１０と、二つのテンプル１２０とを備え；テンプル１２０はヒンジ構造を通じてフレーム１１０に接続されるメガネ装置であって、ヒンジ構造は中間体１３１を備え；中間体１３１の一端は、ヒンジ軸を通じてテンプル１２０に接続され；中間体１３１の他端は、折り畳み構造を通じてフレーム１１０に接続され；折り畳み構造は、フレーム１１０の二つの折り畳み角度に対応する凹部１３３と、弾性部材１４１により支持されている支持材１４２とを備え；支持材１４２は凹部１３３にマッチングされて、フレーム１１０の折り畳み角度を位置合わせする。【選択図】図３ｂ
0003162412.tif 000002
【実用新案登録請求の範囲】
【請求項１】
レンズが取り付けられるフレームと、二つのテンプルとを備え；前記テンプルがヒンジ構造を通じて前記フレームに接続されるメガネ装置であって、
前記ヒンジ構造は、中間体を更に備え；
前記中間体の一端は、ヒンジ軸を通じて前記テンプルに接続され；
前記中間体の他端は、折り畳み構造を通じて前記フレームに接続され；
前記折り畳み構造は、前記フレームの二つの折り畳み角度に対応する凹部と、弾性部材により支持されている支持材とを備え；
前記支持材は前記凹部にマッチングされて、前記フレームの折り畳み角度を位置合わせする；
ことを特徴とするレンズフレームの折り畳み可能なメガネ装置。
【請求項２】
前記凹部は、前記フレームに設けられ；
前記弾性部材と前記支持材とは、前記中間体に設けられている、ことを特徴とする請求項１に記載のレンズフレームの折り畳み可能なメガネ装置。
【請求項３】
前記凹部は、前記中間体に設けられ；
前記弾性部材と前記支持材とは、前記フレームに設けられている、ことを特徴とする請求項１に記載のレンズフレームの折り畳み可能なメガネ装置。
【請求項４】
前記テンプル毎にスリーブが設けられ；
前記スリーブは、二つの前記スリーブの自由端が接触可能なように、前記テンプルに対して滑動自在に設置され、且つ内側に向かった予備折り畳み角度を有する、ことを特徴とする請求項１又は請求項２に記載のレンズフレームの折り畳み可能なメガネ装置。
【請求項５】
前記各スリーブの前記自由端に、磁石が設けられ；
二つの前記磁石は、その磁性が逆になるように設置されている、ことを特徴とする請求項４に記載のレンズフレームの折り畳み可能なメガネ装置。
【考案の詳細な説明】
【技術分野】
【０００１】
本考案は改良したメガネ装置に関し、特にレンズフレームの折り畳みが可能であるメガネ装置に関する。
【背景技術】
【０００２】
従来技術に係るメガネ装置は、着脱し且つ常に携帯する必要があるので、メガネを携帯する時、メガネをケースに収納する必要がある。このようなことは、メガネの使用者に不便を招き、携帯の忘れや紛失現象が生じ易い。
【０００３】
現在のメガネ装置において、メガネのテンプルに帯を設ける方式が多くて、着用しない場合、メガネを外して、ネックに掛けることによって、使用者の胸前にメガネを吊り下げることができる。このような方式のメガネは、老人によく使われる。しかしながら、このような吊り下げ方式は不便であり、吊り下げ過程において、メガネが他の物体に引かれて、使用者が窒息される可能性がある。なお、このようなフレームとテンプルとの接続方式として、メガネを着用しない場合、テンプルを内側に折り畳んで、収納ケースに収納することしか確保できず、胸前に吊り下げた場合、メガネのフレームが占める空間が大きすぎ、使用に不便を招いてしまう。
従って、従来技術は改良し発展する必要がある。
【考案の概要】
【考案が解決しようとする課題】
【０００４】
本考案は、着用時のレンズとフレームとを折り畳んで、メガネを着用しない時の体積を縮減して、便利に携帯することが可能である、レンズフレームの折り畳み可能なメガネ装置の提供を目的とする。
【課題を解決するための手段】
【０００５】
本考案に係るレンズフレームの折り畳み可能なメガネ装置は、レンズが取り付けられるフレームと、二つのテンプルとを備え；前記テンプルはヒンジ構造を通じて前記フレームに接続されるメガネ装置であって、前記ヒンジ構造は中間体を備え；前記中間体の一端は、ヒンジ軸を通じて前記テンプルに接続され；前記中間体の他端は、折り畳み構造を通じて前記フレームに接続され；前記折り畳み構造は、前記フレームの二つの折り畳み角度に対応する凹部と、弾性部材により支持されている支持材とを備え；前記支持材は前記凹部にマッチングされて、前記フレームの折り畳み角度を位置合わせする。
【０００６】
前記メガネ装置において、前記凹部は前記フレームに設けられ；前記弾性部材と前記支持材とは前記中間体に設けられている。
【０００７】
前記メガネ装置において、前記凹部は前記中間体に設けられ；前記弾性部材と前記支持材とは前記フレームに設けられている。
【０００８】
前記メガネ装置において、前記テンプル毎にスリーブが設けられ；前記スリーブは、二つのスリーブの自由端が接触可能のように、前記テンプルに対して滑動自在に設置され、且つ内側に向かった予備折り畳み角度を有する。
【０００９】
前記メガネ装置において、前記各スリーブの前記自由端に、磁石が設けられ；前記二つの磁石は、その磁性が逆になるように設置されている。
【考案の効果】
【００１０】
本考案に係るレンズフレームの折り畳み可能なメガネ装置は、テンプルとレンズフレームとの間に中間体を設置し、且つ中間体とレンズフレームとの間に折り畳み構造を設置することにより、レンズフレームの折り畳みを便利に行うことができ、使用者によるメガネの着用が便利になった。
【図面の簡単な説明】
【００１１】
【図１ａ】本考案に係るメガネ装置の非使用状態を示す図である。
【図１ｂ】同メガネ装置の非使用状態を示す図である。
【図１ｃ】同メガネ装置の使用状態を示す図である。
【図２ａ】本考案の第１実施形態に係るメガネ装置の正常な使用状態を示す図である。
【図２ｂ】同メガネ装置の吊り下げ着用状態を示す図である。
【図３ａ】本考案の第１実施形態に係るメガネ装置の折り畳む前の構造を示す図である。
【図３ｂ】同メガネ装置の折り畳んだ後の構造を示す図である。
【図３ｃ】図３ａにおけるＡ部の拡大図である。
【図３ｄ】図３ｂにおけるＢ部の拡大図である。
【図４ａ】本考案の第２実施形態に係るメガネ装置の正常な使用状態を示す図である。
【図４ｂ】同メガネ装置の吊り下げ着用状態を示す図である。
【図４ｃ】図４ａにおけるＣ部の拡大図である。
【図４ｄ】図４ｂにおけるＤ部分の拡大図である。
【図５ａ】本考案の第２実施形態に係るメガネ装置の折り畳む前の構造を示す図である。
【図５ｂ】同メガネ装置の折り畳んだ後の構造を示す図である。
【考案を実施するための形態】
【００１２】
以下、本考案の最良の実施形態に対して、図面を参照しながら説明する。
【００１３】
本考案に係るレンズフレームの折り畳み可能なメガネ装置は、図２ａ及び図２ｂに示したように、レンズを取り付けるフレーム１１０と、前記フレーム１１０に取り付けられる二つのテンプル１２０とを含む。前記テンプル１２０は、ヒンジ構造を通じて前記フレーム１１０に接続されている。前記ヒンジ構造は、ヒンジ軸などの構造を採用することが可能で、ヒンジ軸構造を採用することにより、テンプルが内側に向かって折ることを確保することができる。このような構造は従来の技術により公知なものであって、ここでその説明を省略する。
【００１４】
本考案の最良の実施形態に係るメガネ装置において、各テンプル１２０にスリーブ１５０が設けられている。図２ａ、図２ｂ、図５ａ、及び図５ｂに示すように、前記テンプル１２０とそれに対応する前記スリーブ１５０とはお互いに滑動自在に設置（適合）されている。それと同時に、前記スリーブ１５０に、内側に向かう予備折り畳み角度（予備湾折角度）を設置する。これによって、図１ａ、図１ｂ、図２ｂ、及び図５ｂに示すように、二つのテンプルのスリーブ１５０が、外側に向かって最大の距離（テンプルの最先端）まで張った場合、二つのスリーブ１５０の自由端１５１がお互いに接触することを確保することができる。
【００１５】
各スリーブ１５０の自由端１５１に磁石１５２を設置することがより好ましい。図２ｂ及び図５ｂに示すように、この二つの磁石１５２はその磁性が逆になるように設置することができる。このように予めに予備折り畳み角度とお互いに吸引する磁石を設置することによって、本考案に係るメガネ装置は、非使用状態において、前記スリーブ１５０を前記テンプル１２０から引っ張ることで、前記スリーブ１５０の自由端が接触しお互いに吸引することができる。これによって、メガネを使用者のネックや胸前に掛けることができる。このような構造は、メガネの使用時の安全性を向上させ、例えば他の物体に引かれた場合、本考案のメガネ装置は脱落してしまい、使用者の窒息などの問題を招くことがない。
【００１６】
図１ｃは、正常な使用時のメガネ装置の着用状態を示し、図１ａ及び図１ｂに示したように、使用しない時、メガネを胸前やネックに吊り下げることが可能である。
【００１７】
それと同時に、本考案に係るメガネ装置はこのようなレンズフレームの折り畳み構造を採用しているので、前記レンズを折り畳む（平折）ことが可能であり、図１ｂに示すように、吊り下げの空間を省くことができる。
【００１８】
具体的に、本考案に係るメガネ装置において、前記レンズフレームの折り畳みを実現するために、前記ヒンジ構造に中間体１３１が設置され、その一端が、例えばヒンジ軸を通じて、前記テンプル１２０に接続される。この中間体１３１の他端は、折り畳み構造を通じて、前記フレーム１１０に接続されている。前記折り畳み構造は、一方の接続部材（テンプル又はフレーム）に設置された突部１３２を備えている。前記突部１３２には、二つの凹部１３３が設けられて、前記フレームの二つの折り畳み角度（平折角度）に対応することに用いられることができる。例えば、使用状態における垂直角度と非使用状態における折り畳み角度に設置することが可能である。他方の接続部材（フレーム又はテンプル）には、弾性部材１４１により支持される支持材（頂珠）１４２が設けられている。図３a及び図３ｂに示すように、前記支持材１４２と前記凹部１３３とのマッチングにより、例えば、垂直状態又は折り畳み状態に、前記フレーム１１０の折り畳み角度を固定し且つ位置合わせすることができる。図３ｃ及び図３ｄには、その構造を拡大して示している。
【００１９】
本考案の実施形態に係るメガネ装置において、図３ａ及び図３ｂに示すように、前記凹部１３３を前記フレーム１１０に設けることが可能で、前記弾性部材１４１及び支持材１４２を前記中間体内の隠蔽した通路内に設置することも可能である。
【００２０】
本考案の他の実施形態に係るメガネ装置において、図４ａ及び図４ｂに示すように、前記凹部１３３を前記中間体１３１に設けることが可能で、前記弾性部材１４１及び支持材１４２を前記フレーム１１０に設置することも可能である。図４ｃ及び図４ｄには、その構造を拡大して示している。
【００２１】
上記二つの実施形態において、前記凹部１３３が設けられている突部１３２と、他方の接続構造との接続は、通常クロース・フォーク構造を採用しているが、現在のメガネ業界で、テンプルとフレームとの接続構造が通常このような構造であるので、ここでその説明を省略する。
【００２２】
本考案に係るメガネ装置は、テンプルを伸縮することができる上で、レンズフレームを折り畳むことができるので、使用者にとって、メガネの着用が便利になった。
【００２３】
上記の説明は、本考案の最良の実施形態について詳しく説明したが、本考案は、上記のような実施形態に限定されるわけではなく、当業者にとっては、上記の説明に基づいて、様々な改良又は変換を行うことができ、これらの改良及び交換は、特許請求の範囲の保護範囲に属すべきである。
【図１ａ】
0003162412.tif 000003
【図１ｂ】
0003162412.tif 000004
【図１ｃ】
0003162412.tif 000005
【図２ａ】
0003162412.tif 000006
【図２ｂ】
0003162412.tif 000007
【図３ａ】
0003162412.tif 000008
【図３ｂ】
0003162412.tif 000009
【図３ｃ】
0003162412.tif 000010
【図３ｄ】
0003162412.tif 000011
【図４ａ】
0003162412.tif 000012
【図４ｂ】
0003162412.tif 000013
【図４ｃ】
0003162412.tif 000014
【図４ｄ】
0003162412.tif 000015
【図５ａ】
0003162412.tif 000016
【図５ｂ】
0003162412.tif 000017